(57)【要約】【課題】泡が衝突して生じる再起泡を抑制し、水および泡を吐出する吐出装置を提供する。【解決手段】吐出装置は、左右方向の幅が広いスリット状の吐出口１１を備え、水および泡を浴槽へ吐出する。方向可変部３は、収容領域３３に収納される遮蔽シート３２等を有し、遮蔽シート３２を突出口３１から突出させて吐出口１１の前方を遮蔽することにより、吐出口１１から水および泡を吐出する方向を上下方向に変更する。【選択図】図５
2018051067.tif 000002
【特許請求の範囲】
【請求項１】
左右方向の幅が広いスリット状の吐出口を備え、水および泡を浴槽へ吐出する吐出装置において、
前記吐出口から水および泡を吐出する方向を上下方向に変更する方向可変部を有することを特徴とする吐出装置。
【請求項２】
前記方向可変部によって前記吐出口から吐出する方向が下方向に変更されたとき、前記浴槽の表面に添うように前記吐出口から泡が吐出されることを特徴とする請求項１に記載の吐出装置。
【請求項３】
前記方向可変部は、前記吐出口の上縁部から一側辺が突出可能な遮蔽部材を有し、
前記遮蔽部材は、突出した状態で前記吐出口の前方を遮蔽することを特徴とする請求項１または２に記載の吐出装置。
【請求項４】
前記方向可変部は、前記吐出口の開度を変更することを特徴とする請求項１または２に記載の吐出装置。
【請求項５】
前記方向可変部は、前記吐出口の上縁部または下縁部が一端部に形成された流路壁体を有し、
前記流路壁体は、前記一端部が上下方向に移動可能に設けられていることを特徴とする請求項４に記載の吐出装置。
【請求項６】
前記方向可変部は、前記吐出口へ水および泡を供給する供給装置を有し、
前記供給装置は、供給する泡の流速を、供給する水よりも低く設定することを特徴とする請求項１または２に記載の吐出装置。
【発明の詳細な説明】
【技術分野】
【０００１】
本発明は、浴槽に用いる吐出装置に関する。
【背景技術】
【０００２】
特許文献１には、配管を兼ねた脚部を備え、浴槽のフランジ部に設けた挿通孔に挿通させて固定された吐出装置が開示されている。吐出装置は、脚部に切替装置を介して湯水供給装置および泡供給装置が接続されており、選択的に吐出口から泡または水を吐出する。
【先行技術文献】
【特許文献】
【０００３】
【特許文献１】特開２０１１−１３０９１１号公報
【発明の概要】
【発明が解決しようとする課題】
【０００４】
特許文献１に記載の吐出具は、肩掛け湯を吐出するために吐出口が浴槽から離れた位置に設けられ、水と泡が同じ方向に吐出されるので、該吐出口から泡を吐出した際に、既に浴槽に溜められた泡の層に自由落下して泡同士が衝突する。衝突によって受ける力で泡同士の仕切りが破れる再起泡が生じ、大きな泡に変化してしまうという問題点があった。
【０００５】
本発明は、斯かる事情に鑑みてなされたものであり、その目的とするところは、泡が衝突して生じる再起泡を抑制し、水および泡を吐出する吐出装置を提供することにある。
【課題を解決するための手段】
【０００６】
本発明に係る吐出装置は、左右方向の幅が広いスリット状の吐出口を備え、水および泡を浴槽へ吐出する吐出装置において、前記吐出口から水および泡を吐出する方向を上下方向に変更する方向可変部を有することを特徴とする。
【０００７】
本発明にあっては、吐出装置は、左右方向の幅が広いスリット状の吐出口を備え、水および泡を浴槽へ吐出する。方向可変部は、吐出口から水および泡を吐出する方向を上下方向に変更する。これにより、吐出装置は、泡を吐出する際に方向可変部によって吐出方向を下方とすることで、泡が衝突して生じる再起泡を抑制することができる。
【発明の効果】
【０００８】
本発明によれば、吐出装置は、左右方向の幅が広いスリット状の吐出口を備え、水および泡を浴槽へ吐出する。方向可変部は、吐出口から水および泡を吐出する方向を上下方向に変更する。このため、吐出装置は、泡が衝突して生じる再起泡を抑制することができる。
【図面の簡単な説明】
【０００９】
【図１】実施形態１に係る吐出装置を含む浴槽装置の外観を示す斜視図である。
【図２】実施形態１に係る吐出装置の構成図である。
【図３】吐出具の正面図である。
【図４】吐出具の平面図である。
【図５】図４に示すＸ−Ｘ線による吐出具の断面図である。
【図６】吐出装置から水を吐出する場合の使用状態を説明するための模式図である。
【図７】吐出装置から泡を吐出する場合の使用状態を説明するための模式図である。
【図８】実施形態２に係る吐出具の平面図である。
【図９】図８に示すＹ−Ｙ線による吐出具の断面図である。
【図１０】吐出装置から水を吐出する場合の使用状態を説明するための模式図である。
【図１１】吐出装置から泡を吐出する場合の使用状態を説明するための模式図である。
【図１２】変形例に係る吐出具の平面図である。
【図１３】図１２に示すＺ−Ｚ線による吐出具の断面図である。
【図１４】遮蔽シートを突出させる使用状態を説明するための模式図である。
【発明を実施するための形態】
【００１０】
以下、本発明を好適な実施の形態をもとに図１から図１４を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１１】
（実施形態１）
図１は実施形態１に係る吐出装置１００を含む浴槽装置１０１の外観を示す斜視図であり、図２は実施形態１に係る吐出装置１００の構成図である。浴槽装置１０１は、湯を溜める浴槽９０および吐出装置１００を有する。浴槽９０は、フランジ部９０ａに吐出具１が取り付けられており、吐出具１から吐出される水および泡を溜める。浴槽９０および図示しない洗い場の四方は、壁パネルによって囲まれている。
【００１２】
吐出装置１００は、吐出具１および供給装置２を有する。供給装置２は、浴槽９０に溜められた水を吸い込んで吐出具１に水および泡を供給するポンプ装置である。供給装置２は、図１に示す浴槽９０に溜められた水の循環系によるもの以外にも、給湯装置から取水するものでもよい。供給装置２は、ポンプ２１および泡生成部２２を有する。ポンプ２１は、水を吸い込んで吐出具１側へ送り出す動力源であり、止水弁２３ａが開状態のとき、水を吐出具１へ送り出す。ポンプ２１は、止水弁２３ｂが開状態のとき、水を泡生成部２２へ送り出す。泡生成部２２は、ポンプ２１からの水に発泡剤と空気を混入させて泡を生成する。泡生成部２２は、生成した泡を吐出具１へ送り出す。
【００１３】
図３は吐出具１の正面図、図４は吐出具１の平面図、図５は図４に示すＸ−Ｘ線による吐出具１の断面図である。吐出具１は、左右方向の幅寸法が大きい直方体状であり、正面に吐出口１１、および遮蔽シート３２の突出口３１を有する。吐出口１１は、左右方向に幅が広いスリット状であり、通流路１２の前側の端部に形成されている。通流路１２は、吐出具１の後部から前部に亘って形成されており、後側の端部に後部下方に向けて開口する流入口１２ａを有する。流入口１２ａは、供給装置２からの配管に接続される。
【００１４】
通流路１２は、吐出口１１から吐出される水および泡の流速が吐出口１１の幅方向、即ち左右方向に均一となるように、流入口１２ａから吐出口１１にかけて、左右方向に適宜拡幅する。また、通流路１２は、吐出口１１での流速が増すように、中途部から前方側にかけて、上下方向に縮幅している。
【００１５】
突出口３１は、吐出口１１の上側に設けられており、左右方向の幅が吐出口１１とほぼ同程度のスリット状である。突出口３１は、遮蔽シート３２を収容する収容領域３３の前側の端部に形成されている。収容領域３３は、突出口３１の左右方向の幅とほぼ同程度の寸法で、吐出具１の前後方向の中途部まで延び、後部側に遮蔽シート３２を巻き取るロール３４を収容する空間を有する。
【００１６】
ロール３４は、一端部から左右方向に延びる軸体を有し、円筒状の操作つまみ３５に接続されている。遮蔽シート３２は、矩形状をなし、可撓性のある例えば樹脂製である。遮蔽シート３２は、一側辺が突出口３１側に配置され、該一側辺に対向する側辺がロール３４に固定されている。本実施形態１において、水および泡を吐出する方向を上下方向に変更可能とする方向可変部３は、突出口３１、遮蔽シート３２、収容領域３３、ロール３４および操作つまみ３５等により構成されている。
【００１７】
遮蔽シート３２は、操作つまみ３５によってロール３４を回転させることで、ロール３４に巻き付けられた部分が送り出され、一側辺が突出口３１から突出する。遮蔽シート３２は、突出口３１から突出した一側辺が吐出口１１の前方を遮蔽する。遮蔽シート３２は、操作つまみ３５によってロール３４を逆回転させることにより、ロール３４に巻き取られ、突出口３１に引き込まれ収容領域３３内に収容される。遮蔽シート３２は、本発明における遮蔽部材に相当している。本発明においては、遮蔽部材は吐出口１１を遮蔽するものであればよく、遮蔽シート３２に代えて、遮蔽用の板部材等を設けるようにしてもよい。
【００１８】
次に吐出装置１００の動作について説明する。図６は吐出装置１００から水を吐出する場合の使用状態を説明するための模式図である。図７は吐出装置１００から泡を吐出する場合の使用状態を説明するための模式図である。
【００１９】
止水弁２３ａを開状態に、止水弁２３ｂを閉状態とすることにより、供給装置２から吐出具１に水が供給される。図６に示すように、遮蔽シート３２は、突出口３１から突出させず、収容領域３３内に収容された状態としておく。吐出具１に供給された水は、通流路１２を通って吐出口１１から前方へ吐出される。吐出口１１から吐出された水は、前方斜め下方に自由落下し、浴槽９０に浸かっているユーザの肩付近に当たる。吐出口１１が左右方向に幅が広いスリット状であるため、入浴者の肩幅全体に水をかけることができる。
【００２０】
止水弁２３ａを閉状態に、止水弁２３ｂを開状態とすることにより、供給装置２から吐出具１に泡が供給される。図７に示すように、遮蔽シート３２は、突出口３１から突出した状態としておく。吐出具１に供給された泡は、通流路１２を通って吐出口１１から前方へ吐出されるが、遮蔽シート３２によって吐出口１１の前方が遮蔽されているため、吐出方向が下向きに変更される。
【００２１】
泡は、遮蔽シート３２を有する方向可変部３によって下向きに吐出方向が変更され、吐出具１の直下における浴槽９０の内側面を伝うようにして流れ落ちる。このとき、浴槽９０の内側面からフランジ部９０ａとの接続部分およびフランジ部９０ａを含む浴槽９０の表面に添うように、吐出口１１から泡が吐出される。このため、吐出具１から吐出された泡は、落下高さが小さく、泡同士の衝突による再起泡の発生が抑制される。
【００２２】
次に、実施形態１の吐出装置１００の特徴を説明する。
本発明の実施形態１の吐出装置１００は、左右方向の幅が広いスリット状の吐出口１１を備え、水および泡を浴槽９０へ吐出する。吐出装置１００は、吐出口１１から水および泡を吐出する方向を上下方向に変更する方向可変部３を有する。これにより、吐出装置１００は、泡を吐出する際に方向可変部３によって吐出方向を下方とすることで、泡が衝突して生じる再起泡を抑制することができる。
【００２３】
また、方向可変部３によって吐出口１１から吐出する方向が下方向に変更されたとき、浴槽９０の表面に添うように吐出口１１から泡が吐出される。これにより、吐出口１１から吐出された泡は落下高さが小さく、さらには浴槽９０に溜められた泡に直接落下しないので、泡同士の衝突による再起泡の発生が抑制される。
【００２４】
また方向可変部３は、吐出口１１の上縁部から一側辺が突出可能な遮蔽部材である遮蔽シート３２を有する。遮蔽シート３２は、突出した状態で吐出口１１の前方を遮蔽する。これにより、吐出口１１の前方を遮蔽シート３２で遮蔽し、吐出具１から吐出する泡の向きを下方に向けることができる。
【００２５】
（実施形態２）
実施形態１に係る吐出装置１００では、方向可変部３として遮蔽シート３２を用いる構成としたが、実施形態２に係る吐出装置１００では、方向可変部３として流路壁体を用い、吐出口１１の開度を変更する構成とする。図８は実施形態２に係る吐出具１の平面図であり、図９は図８に示すＹ−Ｙ線による吐出具１の断面図である。実施形態２において以下にとくに説明する以外の供給装置２等の構成は、実施形態１におけるそれらの構成と同等であるため、記載の簡潔化のため説明を省略する。
【００２６】
吐出具１は、方向可変部３として流路壁体３６を用いる。流路壁体３６は、通流路１２の下流側における上側の璧面を構成し、下流側の一端部に吐出口１１の上縁部が形成される。流路壁体３６は、矩形板状をなし、吐出具１の前後方向の中途部から前部にかけて設けられており、中途部側の端部が左右方向の軸まわりに回動可能に支持されている。
【００２７】
流路壁体３６は、操作つまみ３５を回転させることによって、水平状態から上方へ回動させることができる。吐出口１１の上縁部は、流路壁体３６の回動により、上下方向に移動し、吐出口１１の上下方向の開口幅が拡大および縮小して吐出口１１の開度を変える。
【００２８】
次に吐出装置１００の動作について説明する。図１０は吐出装置１００から水を吐出する場合の使用状態を説明するための模式図である。図１１は吐出装置１００から泡を吐出する場合の使用状態を説明するための模式図である。
【００２９】
止水弁２３ａを開状態に、止水弁２３ｂを閉状態とすることにより、供給装置２から吐出具１に水が供給される。図１０に示すように、流路壁体３６をほぼ水平状態としておくことにより、吐出口１１は、上下方向の開口幅が小さいスリット状とし、吐出口１１の開度を小さくしておく。吐出具１に供給された水は、通流路１２を通って吐出口１１から前方へ吐出される。吐出口１１から吐出された水は、前方斜め下方に自由落下し、浴槽９０に浸かっているユーザの肩付近に当たる。吐出口１１が左右方向に幅が広いスリット状であるため、ユーザの肩幅全体に水をかけることができる。
【００３０】
止水弁２３ａを閉状態に、止水弁２３ｂを開状態とすることにより、供給装置２から吐出具１に泡が供給される。図１１に示すように、流路壁体３６を上方に回動させておくことにより、吐出口１１は、上下方向の開口幅が大きくなり、吐出口１１の開度が大きくなる。吐出具１に供給された泡は、通流路１２を通って吐出口１１へ向かうが、流路壁体３６によって、流路面積が大きくなり流速が低下するため、吐出口１１からの吐出方向が下向きに変更される。
【００３１】
泡は、流路壁体３６を有する方向可変部３によって下向きに吐出方向が変更され、吐出具１の直下における浴槽９０の内側面を伝うようにして流れ落ちる。このとき、浴槽９０の内側面からフランジ部９０ａとの接続部分およびフランジ部９０ａを含む浴槽９０の表面に添うように、吐出口１１から泡が吐出される。このため、吐出具１から吐出された泡は、落下高さが小さく、泡同士の衝突による再起泡の発生が抑制される。
【００３２】
次に、実施形態２の吐出装置１００の特徴を説明する。
本発明の実施形態２の吐出装置１００における方向可変部３は、吐出口１１の開度を変更する。これにより、吐出口１１での流速が変化し、吐出口１１からの吐出方向を上下方向に変更することができる。
【００３３】
また方向可変部３は、吐出口１１の上縁部が一端部に形成された流路壁体３６を有する。流路壁体３６は、前記一端部が上下方向に移動可能に設けられている。このため、吐出口１１は、上下方向の開口幅が大きくなり、吐出口１１の開度が大きくなる。吐出具１に供給された泡は、通流路１２を通って吐出口１１へ向かうが、流路壁体３６によって、流路面積が大きくなり流速が低下するため、吐出口１１からの吐出方向が下向きに変更される。
【００３４】
上述の実施形態２では、流路壁体３６が通流路１２の下流側における上側の璧面を構成する例を示したが、流路壁体３６が通流路１２の下流側における下側の璧面を構成するようにしてもよい。この場合、図９等に示す流路壁体３６を含む通流路１２の下流側を上下反転させ、流路壁体３６が可動できるスペースを設けるように構成すればよい。また、方向可変部３が吐出口１１の開度を変更する構成には、吐出口１１の左右方向の幅を変更するように構成する場合も含まれる。方向可変部３は、吐出口１１の左右の縁部を左右方向に移動可能とするために、例えば、通流路１２の下流側における左右璧面を構成する流路壁体を上下方向の軸回りに回動可能に支持するように構成すればよい。尚、この構成については、図９における流路壁体３６が吐出口１１の左右の流路壁体に置き換わり、上下方向の軸まわりに回動可能に支持すればよく、機械的要素が同等であるので、簡潔化のため図によって表すことを省略する。
【００３５】
（変形例）
図１２は変形例に係る吐出具１の平面図、図１３は図１２に示すＺ−Ｚ線による吐出具１の断面図である。変形例に係る吐出具１は、上部における左右方向の中央部に遮蔽シート３２を前後方向に移動させるための操作穴３７を有する。操作穴３７は、前後方向を長手方向とする長穴であり、収容領域３３に貫通している。方向可変部３は、遮蔽シート３２および操作穴３７等により構成される。
【００３６】
図１４は遮蔽シート３２を突出させる使用状態を説明するための模式図である。ユーザは、操作穴３７に指先を入れ、収容領域３３に収納された遮蔽シート３２に手指の腹を押し当てて前後方向に動かすことにより、遮蔽シート３２を前後方向に移動させて突出口３１から突出させることができる。尚、吐出装置１００から水および泡を吐出する場合の使用状態については、実施形態１において図６および図７を用いて説明した使用状態と同等である。
【００３７】
また、方向可変部３として供給装置２を用いても良い。この場合、供給装置２は、吐出具１に供給する泡の流速を、供給する水よりも低く設定するようにする。供給装置２は、ポンプ２１の吐出量を増減することで、吐出具１に供給する泡の流速を供給する水よりも低く設定できる。吐出具１に供給される泡の流速が低いため、吐出口１１から吐出する泡は、吐出方向が下向きに変更され、直下における浴槽９０の内側面を伝うようにして流れ落ちる。このとき、浴槽９０の内側面からフランジ部９０ａとの接続部分およびフランジ部９０ａを含む浴槽９０の表面に添うように、吐出口１１から泡が吐出される。このため、吐出具１から吐出された泡は、落下高さが小さく、泡同士の衝突による再起泡の発生が抑制される。
【００３８】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００３９】
１１  吐出口、  ２  供給装置、  ３  方向可変部、
３２  遮蔽シート（遮蔽部材）、  ３６  流路壁体、
９０  浴槽、  １００  吐出装置。
【図１】
2018051067.tif 000003
【図２】
2018051067.tif 000004
【図３】
2018051067.tif 000005
【図４】
2018051067.tif 000006
【図５】
2018051067.tif 000007
【図６】
2018051067.tif 000008
【図７】
2018051067.tif 000009
【図８】
2018051067.tif 000010
【図９】
2018051067.tif 000011
【図１０】
2018051067.tif 000012
【図１１】
2018051067.tif 000013
【図１２】
2018051067.tif 000014
【図１３】
2018051067.tif 000015
【図１４】
2018051067.tif 000016